(57)【要約】【課題】順送り点灯において非点灯の色がある場合に色ちらつきを生じさせにくいＬＥＤ点灯装置を提供する。【解決手段】ＬＥＤ点灯装置３０は、Ｎ（Ｎは２以上の整数）色の発光色を有するＮ個のＬＥＤ負荷２１〜２４を点灯させるＬＥＤ点灯装置３０であって、Ｍ（ＭはＮより小さい整数）個のＬＥＤ負荷を点灯させ、かつ、（Ｎ−Ｍ）個のＬＥＤ負荷を点灯させないことを指示する調色指示を受けたとき、（ｉ）Ｎ個のタイムスロットにおいてＭ個のＬＥＤ負荷のうちの少なくとも１つのＬＥＤ負荷を複数のタイムスロットでセレクタ回路３２に選択させる第１の制御、および、（ｉｉ）周期的なＭ個のタイムスロットを設定し、Ｍ個のタイムスロットでＭ個のＬＥＤ負荷を巡回的にセレクタ回路３２に選択させる第２の制御、のいずれか一方を行う。【選択図】図１
2020004553.tif 000002
【特許請求の範囲】
【請求項１】
Ｎ（Ｎは２以上の整数）色の発光色を有するＮ個のＬＥＤ（Light Emitting Diode）負荷を点灯させるＬＥＤ点灯装置であって、
前記Ｎ個のＬＥＤ負荷に給電する電源回路と、
前記Ｎ個のＬＥＤ負荷から１つのＬＥＤ負荷を選択することによって、選択したＬＥＤ負荷に対して前記電源回路から給電させるセレクタ回路と、
周期的なＮ個のタイムスロットを設定し、前記Ｎ個のタイムスロットで前記Ｎ個のＬＥＤ負荷を巡回的に前記セレクタ回路に選択させる順送り制御を行う制御回路とを備え、
前記制御回路は、
Ｍ（ＭはＮより小さい整数）個のＬＥＤ負荷を点灯させ、かつ、（Ｎ−Ｍ）個のＬＥＤ負荷を点灯させないことを指示する調色指示を受けたとき、
（ｉ）前記Ｎ個のタイムスロットにおいて前記Ｍ個のＬＥＤ負荷を巡回的に前記セレクタ回路に選択させ、かつ、前記Ｍ個のＬＥＤ負荷のうちの少なくとも１つのＬＥＤ負荷を複数のタイムスロットで前記セレクタ回路）に選択させる第１の制御、および、
（ｉｉ）周期的なＭ個のタイムスロットを設定し、前記Ｍ個のタイムスロットで前記Ｍ個のＬＥＤ負荷を巡回的に前記セレクタ回路に選択させる第２の制御、のいずれか一方を行う
ＬＥＤ点灯装置。
【請求項２】
前記電源回路は、インダクタを含むスイッチング電源であり、前記インダクタを介して前記複数のＬＥＤ負荷に給電する
請求項１に記載のＬＥＤ点灯装置。
【請求項３】
前記制御回路は、前記電源回路のスイッチング動作と、前記セレクタ回路の選択動作とを同期させる
請求項２に記載のＬＥＤ点灯装置。
【請求項４】
前記制御回路は、前記調色指示を受けたとき、前記第１の制御を行う
請求項１〜３のいずれか１項に記載のＬＥＤ点灯装置。
【請求項５】
前記制御回路は、前記調色指示を受けたとき、前記第２の制御を行う
請求項１〜３のいずれか１項に記載のＬＥＤ点灯装置。
【請求項６】
前記制御回路３３は、（ｉｉｉ）前記Ｎ個のタイムスロット中のＭ個のタイムスロットにおいて前記Ｍ個のＬＥＤ負荷を巡回的に選択し、かつ、（Ｎ−Ｍ）個のタイムスロットにおいて何れのＬＥＤ負荷も選択しないように前記セレクタ回路を制御することを仮定し、
仮定した前記（ｉｉｉ）の制御におけるＭ個のＬＥＤ負荷それぞれの電流の実効値と、前記第１の制御および前記第２の制御のいずれか一方の制御におけるＭ個のＬＥＤ負荷それぞれの電流の実効値とを同じにする
請求項１〜５のいずれか１項に記載のＬＥＤ点灯装置。
【請求項７】
前記制御回路は、
前記第１の制御の前に前記（ｉｉｉ）の制御を一時的に行い、
前記（ｉｉｉ）の制御の終了から前記第１の制御の開始までの移行期間を設け、
前記移行期間においてＭ個のＬＥＤ負荷のそれぞれの実効値を同じにしながら、前記（ｉｉｉ）の制御による照明状態と前記第１の制御による照明状態との間の中間状態を少なくとも１つ生成する制御を行う
請求項６に記載のＬＥＤ点灯装置。
【請求項８】
前記制御回路は、
前記第２の制御の前に前記（ｉｉｉ）の制御を一時的に行い、
前記（ｉｉｉ）の制御の終了から前記第２の制御の開始までの移行期間を設け、
前記移行期間において、前記Ｎ個のタイムスロット中の前記（Ｎ−Ｍ）個のタイムスロットの時間が、前記（ｉｉｉ）の制御におけるＮ個のタイムスロットの時間よりも徐々に短くなる中間状態を少なくとも１つ生成する制御を行う
請求項６に記載のＬＥＤ点灯装置。
【請求項９】
前記制御回路は、
前記第２の制御におけるＭ個のタイムスロットからなる周期を、前記（ｉｉｉ）の制御におけるＮ個のタイムスロットからなる周期と同じにし、
前記第２の制御におけるＭ個のタイムスロットそれぞれの給電時間を、前記（ｉｉｉ）の制御におけるＮ個のタイムスロットの対応する給電時間よりも長くする
請求項６に記載のＬＥＤ点灯装置。
【請求項１０】
前記制御回路は、
前記第２の制御におけるＭ個のタイムスロットにおける前記電源回路からの給電電圧を、前記（ｉｉｉ）の制御におけるＮ個のタイムスロットにおける給電電圧よりも小さくする
請求項９に記載のＬＥＤ点灯装置。
【請求項１１】
前記制御回路は、
前記第２の制御の前に前記（ｉｉｉ）の制御を一時的に行い、
前記（ｉｉｉ）の制御の終了から前記第２の制御の開始までに移行期間を設け、
前記移行期間において、前記第２の制御におけるＭ個のタイムスロットにおける前記電源回路からの給電時電圧を、前記（ｉｉｉ）の制御におけるＮ個のタイムスロットにおける給電電圧よりも徐々に小さくなる少なくとも１つの中間状態を経て移行させる
請求項９または１０に記載のＬＥＤ点灯装置。
【請求項１２】
前記制御回路は、
前記少なくとも１つの中間状態において、Ｍ個のタイムスロットそれぞれの時間を、前記Ｎ個のタイムスロットそれぞれの時間よりも徐々に長くし、同時に、前記Ｍ個のタイムスロットにおける前記電源回路からの給電時間を、前記（ｉｉｉ）の制御におけるＮ個のタイムスロットにおける給電時間よりも徐々に長くし、
前記少なくとも１つの中間状態において、前記Ｎ個のタイムスロット中の（Ｎ−Ｍ）個のタイムスロットの時間を、前記（ｉｉｉ）の制御におけるＮ個のタイムスロットの時間よりも徐々に短くする
請求項１１に記載のＬＥＤ点灯装置。
【請求項１３】
請求項１〜１２のいずれか１項に記載のＬＥＤ点灯装置と、
前記複数のＬＥＤ負荷とを備える
照明器具。
【請求項１４】
前記複数のＬＥＤ負荷のそれぞれは、
1つ以上のＬＥＤと、
前記１つ以上のＬＥＤと並列に接続された平滑コンデンサと、
前記１つ以上のＬＥＤおよび前記平滑コンデンサを含む並列回路と直列に接続された逆流防止用のダイオードとを有する
請求項１３に記載の照明器具。
【発明の詳細な説明】
【技術分野】
【０００１】
本発明は、異なる発光色を有する複数のＬＥＤ（Light Emitting Diode）負荷を点灯させるＬＥＤ点灯装置および照明器具に関する。
【背景技術】
【０００２】
特許文献１は、異なる発光色を有する複数のＬＥＤを順次切り替えて点灯させ、かつ、各発光色の強度および混合割合を調整することにより調光および調色可能な照明装置を開示している。
【先行技術文献】
【特許文献】
【０００３】
【特許文献１】特開２００４−３１１６３５号公報
【発明の概要】
【発明が解決しようとする課題】
【０００４】
しかしながら、上記従来技術によれば、順送り点灯において非点灯の色がある場合、例えばＲＧＢＷ４色のＬＥＤ光源が点灯可能であり、そのうち２色を点灯させて他の２色を非点灯にする場合、消灯区間が長くなって色ちらつきが生じやすくなるという問題がある。ここで、順送り点灯とは、異なる発光色を有する複数のＬＥＤ光源を予め決めた一定時間内に順次切り替えて点灯させ、これを繰り返す点灯をいう。また、色ちらつきとは、照明光の下に、例えば扇風機の羽のような動きの速い物体が存在するときに、当該物体にＬＥＤ光源の個別の発光色が現れて、人に知覚されることをいう。色ちらつきが激しい場合、人に不快感や違和感を与えることがある。
【０００５】
そこで本発明は、順送り点灯において非点灯の色がある場合に色ちらつきを生じさせにくいＬＥＤ点灯装置および照明器具を提供することを目的とする。
【課題を解決するための手段】
【０００６】
上記目的を達成するために、本発明に係るＬＥＤ点灯装置の一形態は、Ｎ（Ｎは２以上の整数）色の発光色を有するＮ個のＬＥＤ負荷を点灯させるＬＥＤ点灯装置であって、前記Ｎ個のＬＥＤ負荷に給電する電源回路と、前記Ｎ個のＬＥＤ負荷から１つのＬＥＤ負荷を選択することによって、選択したＬＥＤ負荷に対して前記電源回路から給電させるセレクタ回路と、周期的なＮ個のタイムスロットを設定し、前記Ｎ個のタイムスロットで前記Ｎ個のＬＥＤ負荷を巡回的に前記セレクタ回路に選択させる順送り制御を行う制御回路とを備え、前記制御回路は、Ｍ（ＭはＮより小さい整数）個のＬＥＤ負荷を点灯させ、かつ、（Ｎ−Ｍ）個のＬＥＤ負荷を点灯させないことを指示する調色指示を受けたとき、（ｉ）前記Ｎ個のタイムスロットにおいて前記Ｍ個のＬＥＤ負荷を巡回的に前記セレクタ回路に選択させ、かつ、前記Ｍ個のＬＥＤ負荷のうちの少なくとも１つのＬＥＤ負荷を複数のタイムスロットで前記セレクタ回路に選択させる第１の制御、および、（ｉｉ）周期的なＭ個のタイムスロットを設定し、前記Ｍ個のタイムスロットで前記Ｍ個のＬＥＤ負荷を巡回的に前記セレクタ回路に選択させる第２の制御、のいずれか一方を行う。
【０００７】
また、本発明に係る照明装置は、上記のＬＥＤ点灯装置と、上記の複数のＬＥＤ負荷とを備える。
【発明の効果】
【０００８】
本発明に係るＬＥＤ点灯装置および照明器具によれば、順送り点灯において非点灯の色がある場合に色ちらつきを生じさせにくいという効果がある。
【図面の簡単な説明】
【０００９】
【図１】図１は、実施の形態１に係るＬＥＤ点灯装置を有する照明器具の構成例を示すブロック図である。
【図２】図２は、実施の形態１に係る照明器具に全色発光させる順送り制御による電流波形の例を示す図である。
【図３Ａ】図３Ａは、実施の形態１に係る照明器具に２色発光させる第１の制御による電流波形の例を示す図である。
【図３Ｂ】図３Ｂは、実施の形態１に係る照明器具に２色発光させる第２の制御による電流波形の例を示す図である。
【図３Ｃ】図３Ｃは、実施の形態１に係る照明器具に２色発光させる第２の制御による電流波形の他の例を示す図である。
【図４Ａ】図４Ａは、実施の形態１に係る照明器具に３色発光させる第１の制御による電流波形の例を示す図である。
【図４Ｂ】図４Ｂは、実施の形態１に係る照明器具に３色発光させる第２の制御による電流波形の例を示す図である。
【図５】図５は、実施の形態１に係るＬＥＤ点灯装置を有する照明器具の回路構成例を示す図である。
【図６】図６は、実施の形態１に係る照明器具に全色発光させる順送り制御による各部の電流波形および電圧波形を示す図である。
【図７Ａ】図７Ａは、実施の形態１に係る照明器具に２色発光させる第１の制御における各部の電流波形および電圧波形を示す図である。
【図７Ｂ】図７Ｂは、実施の形態１に係る照明器具に色発光させる第２の制御における各部の電流波形および電圧波形を示す図である。
【図８Ａ】図８Ａは、実施の形態２に係る、非点灯色を含む順送り制御による電流の波形例を示す図である。
【図８Ｂ】図８Ｂは、図８Ａに対応する第１の制御による電流の波形例を示す図である。
【図８Ｃ】図８Ｃは、図８Ｂに対応する第２の制御による電流の波形例を示す図である。
【図９】図９は、実施の形態３に係る、順送り制御、移行期間、および、第１の制御における電流の波形例を示す図である。
【図１０】図１０は、実施の形態４に係る、順送り制御、移行期間、および、第２の制御における電流の波形例を示す図である。
【図１１】図１１は、実施の形態５に係る、順送り制御、移行期間、および、第２の制御における電流の波形例を示す図である。
【図１２Ａ】図１２Ａは、各実施の形態に係るＬＥＤ点灯装置を有する照明器具の外観例を示す図である。
【図１２Ｂ】図１２Ｂは、各実施の形態に係るＬＥＤ点灯装置を有する照明器具の他の外観例を示す図である。
【図１２Ｃ】図１２Ｃは、各実施の形態に係るＬＥＤ点灯装置を有する照明器具のさらに他の外観例を示す図である。
【図１３】図１３は、比較例としての照明器具の構成を示す図である。
【図１４Ａ】図１４Ａは、比較例としての照明器具における４色発光させる照明動作での電流波形を示す図である。
【図１４Ｂ】図１４Ｂは、比較例としての照明器具における２色発光させる照明動作での電流波形を示す図である。
【発明を実施するための形態】
【００１０】
（本発明の基礎となった知見）
本発明者は、「背景技術」の欄において記載した照明装置に関し、以下の問題が生じることを見出した。
【００１１】
まず、本発明者の知見に係る照明器具を比較例として説明する。
【００１２】
図１３は、本発明者の知見に係る比較例としての照明器具の構成を示す図である。同図の照明器具は、電源回路９０、ＬＥＤ負荷９１〜９４、スイッチング素子ＳＷ３〜ＳＷ６を備える。電源回路９０は、スイッチング素子ＳＷ１、ＳＷ２、インダクタＬ０を有し、いわゆる降圧チョッパー型のＤＣ−ＤＣコンバータである。スイッチング素子ＳＷ１、ＳＷ２は、排他的にオン状態になるように制御される。インダクタＬ０は、スイッチング素子ＳＷ１、ＳＷ２の接続点から供給されるエネルギーを蓄積および放出する。
【００１３】
ＬＥＤ負荷９１〜９４は、異なる発光色を有する。同図では、ＬＥＤ負荷９１〜９４の発光色は、順に赤、緑、青、白であるものとする。
【００１４】
スイッチング素子ＳＷ３〜ＳＷ６は、１周期内で順に排他的にオンになるように制御される。
【００１５】
このような比較例の照明器具の動作として、４色（つまり全色）点灯させる照明動作と、４色のうちの２色のみ点灯させる照明動作とを説明する。
【００１６】
図１４Ａは、比較例の照明器具における４色発光させる照明動作での電流波形を示す図である。同図の縦軸は、インダクタ電流ＩＬを示す。インダクタ電流ＩＬは、インダクタＬ０を介していずれかのＬＥＤ負荷に供給される、電源回路９０の出力電流である。横軸は時間を示す。
【００１７】
図１４Ａのように、ＬＥＤ負荷９１〜９４は、周期Ｔｃにおいて一巡して排他的に発光する。この動作を順送り点灯と呼ぶ。周期Ｔｃは、区間Ｔｒ、Ｔｇ、Ｔｂ、Ｔｗの４つの区間に分割される。区間Ｔｒ、Ｔｇ、Ｔｂ、Ｔｗは、ＬＥＤ負荷９１〜９４の発光色である赤、緑、青、白に対応する。周期Ｔｃは、人の目に変化を感じさせない程度の十分に短い時間である。人の目には、４色が混合された混合色が単一色の照明光として見える。
【００１８】
図１４Ｂは、比較例の照明器具における２色発光させる照明動作での電流波形を示す図である。同図では、４色のうち青および白に対応するＬＥＤ負荷９３および９４を消灯させ、かつ、赤および緑に対応するＬＥＤ負荷９１および９２を点灯させる２色点灯の照明動作を示している。この場合、人の目には、赤と緑の２色が混合された混合色が単一色の照明光として見える。
【００１９】
ところで、図１４Ｂの２色点灯は、図１４Ａの全色点灯と比べると、長い消灯区間Ｔｏｆｆが発生するため、色ちらつきが生じやすいという問題がある。色ちらつきとは、照明光の下に、動きの速い物体が存在するときに、当該物体にＬＥＤ光源の個別の発光色が現れて、人に知覚されることをいう。動きの速い物体は、例えば、居室では扇風機の羽根、体育館ではボールや人の手足の動き、等がある。色ちらつきが激しい場合、人に不快感や違和感を与えることがある。
【００２０】
このような問題を解決するために、本発明の一態様に係るＬＥＤ点灯装置は、Ｎ（Ｎは２以上の整数）色の発光色を有するＮ個のＬＥＤ負荷を点灯させるＬＥＤ点灯装置であって、前記Ｎ個のＬＥＤ負荷に給電する電源回路と、前記Ｎ個のＬＥＤ負荷から１つのＬＥＤ負荷を選択することによって、選択したＬＥＤ負荷に対して前記電源回路から給電させるセレクタ回路と、周期的なＮ個のタイムスロットを設定し、前記Ｎ個のタイムスロットで前記Ｎ個のＬＥＤ負荷を巡回的に前記セレクタ回路に選択させる順送り制御を行う制御回路とを備え、前記制御回路は、Ｍ（ＭはＮより小さい整数）個のＬＥＤ負荷を点灯させ、かつ、（Ｎ−Ｍ）個のＬＥＤ負荷を点灯させないことを指示する調色指示を受けたとき、（ｉ）前記Ｎ個のタイムスロットにおいて前記Ｍ個のＬＥＤ負荷を巡回的に前記セレクタ回路（３２）に選択させ、かつ、前記Ｍ個のＬＥＤ負荷のうちの少なくとも１つのＬＥＤ負荷を複数のタイムスロットで前記セレクタ回路に選択させる第１の制御、および、（ｉｉ）前記Ｎ個のタイムスロットの代わりに周期的なＭ個のタイムスロットを設定し、前記Ｍ個のタイムスロットで前記Ｍ個のＬＥＤ負荷を巡回的に前記セレクタ回路に選択させる第２の制御、のいずれか一方を行う。
【００２１】
これにより、非点灯のタイムスロットが存在しない、つまり、長い消灯区間Ｔｏｆｆが存在しなくなる。したがって、順送り点灯において非点灯の色がある場合に色ちらつきを生じさせにくくすることができる。
【００２２】
ここで、タイムスロットとは、複数のＬＥＤ負荷を順送り点灯する場合において、時間を周期的に区切り、その一周期を更に複数に分割した個々の時間枠をいう。１つのタイムスロットには、点灯のための時間枠として１つのＬＥＤ負荷に割り当てられる。
【００２３】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００２４】
（実施の形態１）
［１．１  ＬＥＤ点灯装置および照明器具の構成］
まず、実施の形態１に係るＬＥＤ点灯装置３０を備える照明器具１００の構成例について説明する。
【００２５】
図１は、実施の形態１に係るＬＥＤ点灯装置３０を有する照明器具１００の構成例を示すブロック図である。同図の照明器具１００は、ＡＣ−ＤＣ電源１０、光源２０およびＬＥＤ点灯装置３０を備える。
【００２６】
ＡＣ−ＤＣ電源１０は、例えば商用１００Ｖ電源に接続され、交流電力を入力し直流電力に変換する。
【００２７】
光源２０は、ＬＥＤ負荷２１〜２４を備える。ＬＥＤ負荷２１〜２４は、異なる発光色を有する。ＬＥＤ負荷２１〜２４の発光色は、例えばＲ（赤）、Ｇ（緑）、Ｂ（青）、Ｗ（白）であるものとする。
【００２８】
ＬＥＤ点灯装置３０は、異なる発光色を有する複数のＬＥＤ負荷２１〜２４を点灯させる装置である。そのためＬＥＤ点灯装置３０は、電源回路３１、セレクタ回路３２および制御回路３３を備える。
【００２９】
電源回路３１は、ＡＣ−ＤＣ電源１０からの直流電力を電圧の異なる直流電力に変換し、変換した直流電力を光源２０に供給するＤＣ−ＤＣコンバータである。
【００３０】
セレクタ回路３２は、複数のＬＥＤ負荷２１〜２４から１つのＬＥＤ負荷を選択することによって、選択したＬＥＤ負荷に対して電源回路３１から給電させる。そのため、セレクタ回路３２は、スイッチング素子Ｍ３〜Ｍ６を備える。スイッチング素子Ｍ３〜Ｍ６のそれぞれは、複数のＬＥＤ負荷２１〜２４のうちのいずれかのＬＥＤ負荷と直列に接続される。例えば図１では、スイッチング素子Ｍ３は、ＬＥＤ負荷２１に直列に接続される。スイッチング素子Ｍ４は、ＬＥＤ負荷２２に直列に接続される。スイッチング素子Ｍ５は、ＬＥＤ負荷２３に直列に接続される。スイッチング素子Ｍ６は、ＬＥＤ負荷２４に直列に接続される。これらのスイッチング素子Ｍ３〜Ｍ６は、例えば、排他的にオン状態になるように制御される。これにより、ＬＥＤ負荷２１〜２４は排他的につまり１つずつ発光する。
【００３１】
制御回路３３は、複数のＬＥＤ負荷２１〜２４から１つのＬＥＤ負荷を順次巡回的に選択するようにセレクタ回路３２を制御する。具体的には、制御回路３３は、周期的なＮ個のタイムスロットを設定し、Ｎ個のタイムスロットでＮ個のＬＥＤ負荷を巡回的にセレクタ回路３２に選択させる順送り制御を行う。ここで、Ｎは、ＬＥＤ負荷２１〜２４の数と同じであり、図１では、Ｎ＝４である。順送り制御は、全色（図１では４色）点灯させる照明動作である。
【００３２】
また、制御回路３３は、Ｍ（ＭはＮより小さい整数）個のＬＥＤ負荷を点灯させ、かつ、（Ｎ−Ｍ）個のＬＥＤ負荷を点灯させないことを指示する調色指示を受けたとき、第１の制御および第２の制御の一方を行う。
【００３３】
（ｉ）第１の制御では、制御回路３３は、Ｎ個のタイムスロットにおいてＭ個のＬＥＤ負荷を巡回的にセレクタ回路（３２）に選択させ、かつ、Ｍ個のＬＥＤ負荷のうちの少なくとも１つのＬＥＤ負荷を複数のタイムスロットでセレクタ回路３２に選択させる。これにより、空きのタイムスロットが存在しなくなり、タイムスロットよりも長い消灯期間を作り出さない。よって、非点灯のＬＥＤ負荷が存在する場合であっても、色ちらつきを生じにくくする。
【００３４】
（ｉｉ）第２の制御では、制御回路３３は、周期的なＭ個のタイムスロットを設定し、Ｍ個のタイムスロットでＭ個のＬＥＤ負荷を巡回的にセレクタ回路３２に選択させる。これにより、空きのタイムスロットが存在しなくなり、タイムスロットよりも長い消灯期間を作り出さない。よって、非点灯のＬＥＤ負荷が存在する場合であっても、色ちらつきを生じにくくする。
【００３５】
次に、上記の順送り制御において４色のＬＥＤ負荷２１〜２４が全色点灯する照明状態の例、つまり、全色発光の例について説明する。
【００３６】
図２は、実施の形態１に係る照明器具１００に全色発光させる順送り制御による電流波形の例を示す図である。図２では、電源回路３１がインダクタを含むスイッチング電源であり、インダクタを介してＬＥＤ負荷２１〜２４に給電するものとする。同図の縦軸はインダクタ電流ＩＬ、つまり電源回路３１からいずれかのＬＥＤ負荷に供給される電流を示す。横軸は時間を示す。同図は全色（Ｎ＝４色）発光させる順送り制御の一例である。周期Ｔｃは、４個のＬＥＤ負荷２１〜２４を一巡点灯させる周期であり、４個のタイムスロットＴ１〜Ｔ４に分割される。４個のタイムスロットＴ１〜Ｔ４は、４個のＬＥＤ負荷２１〜２４に１対１で割り当てられる。タイムスロットＴ１〜Ｔ４における三角波は、電源回路３１のインダクタから給電される電流波形を示している。タイムスロットＴ１〜Ｔ４には、赤色、緑色、青色、白色のＬＥＤ負荷２１〜２４がそれぞれ割り当てられている。周期Ｔｃは、人の視覚に対しては十分に短いので、人には４色の混合色が１つの照明光に見える。
【００３７】
続いて、第１の制御による照明状態の例として、４色中２色発光する例について説明する。
【００３８】
図３Ａは、実施の形態１に係る照明器具１００に２色発光させる第１の制御による電流波形の例を示す図である。同図は、赤と緑に対応する２個のＬＥＤ負荷２１、２２を点灯させ、かつ、青と白に対応する２個のＬＥＤ負荷２３、２４を点灯させないことを指示する調色指示を受けたときの、第１の制御による照明状態を示している。同図の周期Ｔｃ、およびタイムスロットＴ１〜Ｔ４は図２と同じである。図２では青および白に対応するＬＥＤ負荷２３および２４に割り当てられたタイムスロットＴ３およびＴ４が空タイムスロットにならないように、タイムスロットＴ３およびＴ４では赤および緑に対応するＬＥＤ負荷２１および２２が割り当てられている。
【００３９】
言い換えれば、制御回路３３は、Ｎ個のタイムスロットにおいてＭ個のＬＥＤ負荷のうちの少なくとも１つのＬＥＤ負荷を複数のタイムスロットでセレクタ回路３２に選択させる第１の制御を行う。図３Ａでは、Ｎ＝４、Ｍ＝２である。Ｍ個のＬＥＤ負荷は、赤、緑に対応するＬＥＤ負荷２１、２２である。上記の少なくとも１つのＬＥＤ負荷は、赤、緑に対応する２つのＬＥＤ負荷２１、２２である。ＬＥＤ負荷２１は２つのタイムスロットＴ１およびＴ３で選択される。ＬＥＤ負荷２２は、２つのタイムスロットＴ２およびＴ４で選択される。
【００４０】
図３Ａでは、図１４Ｂのような長い消灯区間Ｔｏｆｆがなく、色ちらつきが生じにくくなっている。なお、図３Ａでは、タイムスロットＴ１〜Ｔ４の発光色を、赤、緑、赤、緑としているが、例えば、赤、緑、緑、緑としてもよいし、赤、緑、赤、赤としてもよい。
【００４１】
次に、第２の制御による照明状態の例として、４色中２色発光する例について説明する。
【００４２】
図３Ｂは、実施の形態１に係る照明器具１００に２色発光させる第２の制御による電流波形の例を示す図である。同図は、図３Ａと同様のケース、つまり、赤と緑に対応する２個のＬＥＤ負荷２１、２２を点灯させ、かつ、青と白に対応する２個のＬＥＤ負荷２３、２４を点灯させないことを指示する調色指示を受けたときの、第２の制御による照明状態を示している。同図の周期Ｔｃ１は、赤と緑に対応する２個のＬＥＤ負荷２１、２２を一巡点灯させる周期であり、タイムスロットＴ１、Ｔ２に分割されている。タイムスロットＴ１には赤に対応するＬＥＤ負荷２１が割り当てられ、タイムスロットＴ２には緑に対応するＬＥＤ負荷２２が割り当てられている。
【００４３】
言い換えれば、制御回路３３は、制御回路３３は、１周期にＭ個のタイムスロットを設定し、Ｍ個のタイムスロットでＭ個のＬＥＤ負荷を巡回的にセレクタ回路３２に選択させる第２の制御を行う。図３Ｂでは、Ｎ＝４、Ｍ＝２である。Ｍ個のＬＥＤ負荷は、赤、緑に対応するＬＥＤ負荷２１、２２である。
【００４４】
図３Ｂでは、図１４Ｂのような長い消灯区間Ｔｏｆｆがなく、色ちらつきが生じにくくなっている。なお、図３Ｂの周期Ｔｃ１は、たとえば図３Ａの周期Ｔｃの１／２としてもよい。
【００４５】
さらに、第２の制御による照明状態の例として、４色中２色発光する他の例について説明する。
【００４６】
図３Ｃは、実施の形態１に係る照明器具１００に２色発光させる第２の制御による電流波形の他の例を示す図である。同図は、図３Ａと同様のケース、つまり、赤と緑に対応する２個のＬＥＤ負荷２１、２２を点灯させ、かつ、青と白に対応する２個のＬＥＤ負荷２３、２４を点灯させないことを指示する調色指示を受けたときの、第２の制御による照明状態を示している。同図の周期Ｔｃ２は、赤と緑に対応する２個のＬＥＤ負荷２１、２２を一巡点灯させる周期であり、タイムスロットＴ１、Ｔ２に分割されている。タイムスロットＴ１には赤に対応するＬＥＤ負荷２１が割り当てられ、タイムスロットＴ２には緑に対応するＬＥＤ負荷２２が割り当てられている。
【００４７】
言い換えれば、制御回路３３は、制御回路３３は、１周期にＭ個のタイムスロットを設定し、Ｍ個のタイムスロットでＭ個のＬＥＤ負荷を巡回的にセレクタ回路３２に選択させる第２の制御を行う。図３Ｃでは、Ｎ＝４、Ｍ＝２である。Ｍ個のＬＥＤ負荷は、赤、緑に対応するＬＥＤ負荷２１，２２である。
【００４８】
図３Ｃでは、図１４Ｂのような長い消灯区間Ｔｏｆｆがなく、色ちらつきが生じにくくなっている。なお、図３Ｃの周期Ｔｃ２は、たとえば図３Ａの周期Ｔｃと同じであってもよい。また、図３Ａ〜図３Ｃでは、赤、緑の２色発光の例を示したが、他の色の組み合わせでもよい。
【００４９】
次に、第１の制御による照明状態の例として、４色中３色発光する例について説明する。図４Ａは、実施の形態１に係る照明器具１００に３色発光させる第１の制御による電流波形の例を示す図である。同図は、赤と緑と白に対応する３個のＬＥＤ負荷２１、２２、２４を点灯させ、かつ、青に対応する１個のＬＥＤ負荷２３を点灯させないことを指示する調色指示を受けたときの、第１の制御による照明状態を示している。同図の周期Ｔｃ、およびタイムスロットＴ１〜Ｔ４は図２と同じである。図４Ａでは青に対応するＬＥＤ負荷２３に割り当てられたタイムスロットＴ３が空タイムスロットにならないように、タイムスロットＴ３に、白に対応するＬＥＤ負荷２４が割り当てられている。
【００５０】
言い換えれば、制御回路３３は、Ｎ個のタイムスロットにおいてＭ個のＬＥＤ負荷のうちの少なくとも１つのＬＥＤ負荷を複数のタイムスロットでセレクタ回路３２に選択させる第１の制御を行う。図４Ａでは、Ｎ＝４、Ｍ＝３である。Ｍ個のＬＥＤ負荷は、赤、緑、白に対応するＬＥＤ負荷２１、２２、２４である。上記の少なくとも１つのＬＥＤ負荷は、白に対応するＬＥＤ負荷２４である。このＬＥＤ負荷２４は２つのタイムスロットＴ３，Ｔ４で選択される。
【００５１】
図４Ａでは、図１４Ｂのような長い消灯区間Ｔｏｆｆがなく、色ちらつきが生じにくくなっている。なお、図４Ａでは、タイムスロットＴ１〜Ｔ４の発光色を、赤、緑、白、白としているが、例えば、赤、緑、赤、白としてもよいし、赤、緑、緑、白としてもよい。
【００５２】
続いて、第２の制御による照明状態の例として、４色中３色発光する例について説明する。
【００５３】
図４Ｂは、実施の形態１に係る照明器具１００に３色発光させる第２の制御による電流波形の例を示す図である。同図は、図４Ａと同様のケース、つまり、赤と緑と白に対応する３個のＬＥＤ負荷２１、２２、２４を点灯させ、かつ、青に対応する１個のＬＥＤ負荷２３を点灯させないことを指示する調色指示を受けたときの、第２の制御による照明状態を示している。同図の周期Ｔｃ２は、赤と緑と白に対応する３個のＬＥＤ負荷２１、２２、２４を一巡点灯させる周期であり、タイムスロットＴ１〜Ｔ３に分割されている。タイムスロットＴ１〜Ｔ３には赤、緑、白に対応するＬＥＤ負荷２１、２２、２４が割り当てられている。
【００５４】
言い換えれば、制御回路３３は、制御回路３３は、１周期にＭ個のタイムスロットを設定し、Ｍ個のタイムスロットでＭ個のＬＥＤ負荷を巡回的にセレクタ回路３２に選択させる第２の制御を行う。図４Ｂでは、Ｎ＝４、Ｍ＝３である。Ｍ個のＬＥＤ負荷は、赤、緑、白に対応するＬＥＤ負荷２１、２２、２４である。
【００５５】
図４Ｂでは、図１４Ｂのような長い消灯区間Ｔｏｆｆがなく、色ちらつきが生じにくくなっている。なお、図４Ｂの周期Ｔｃ２は、たとえば図３Ａの周期Ｔｃの３／４としてもよい。また、図４Ａ、図４Ｂでは、赤、緑、白の３色発光の例を示したが、他の色の組み合わせでもよい。
【００５６】
次に、ＬＥＤ点灯装置３０を有する照明器具１００のより具体的な回路例について説明する。
【００５７】
図５は、実施の形態１に係るＬＥＤ点灯装置３０を有する照明器具１００の回路構成例を示す図である。同図のように、照明器具１００は、光源２０とＬＥＤ点灯装置３０とを備える。ただし、図５では、図１に示したＡＣ−ＤＣ電源１０は省略してある。
【００５８】
光源２０内のＬＥＤ負荷２１は、スイッチング素子Ｍ３と直列に接続され、スイッチング素子Ｍ３のオンおよびオフによって点灯を制御される。スイッチング素子Ｍ３のオン時間が長いほどＬＥＤ負荷２１には多くの電流が流れて発光量も多くなる。
【００５９】
具体的な回路例として、図５のＬＥＤ負荷２１は、ＬＥＤｄ１〜ｄ３と、ＬＥＤｄ１〜ｄ３と並列に接続された平滑コンデンサＣ２と、ＬＥＤｄ１〜ｄ３および平滑コンデンサＣ２を含む並列回路と直列に接続された逆流防止用のダイオードＤａと、電源オフ時の放電用の抵抗Ｒ２とを有する。
【００６０】
ＬＥＤｄ１〜ｄ３は、直列接続された同じ発光色のＬＥＤ発光素子であり、スイッチング素子Ｍ３と直列に接続される。
【００６１】
平滑コンデンサＣ２は、インダクタＬ１０からダイオードＤａを介して供給されるインダクタ電流を平滑化する。
【００６２】
ダイオードＤａは、平滑コンデンサＣ２からインダクタＬ１０に電流が逆流することを防止する。つまり、ダイオードＤａは、平滑コンデンサＣ２にチャージされた電荷をＬＥＤｄ１〜ｄ３のみに供給させる。
【００６３】
抵抗Ｒ２は、高抵抗値を有し、電源オン状態からオフ状態になった後に平滑コンデンサＣ２の電荷を放電させる。
【００６４】
ＬＥＤ負荷２２〜２４は、発光色が異なる点以外はＬＥＤ負荷２１と類似の構成である。なお、ＬＥＤ負荷２１は、平滑コンデンサＣ２、逆流防止用のダイオードＤａを備えない構成であってもよい。また、ＬＥＤ負荷２２〜２４も同様である。
【００６５】
ＬＥＤ点灯装置３０内の電源回路３１は、図５では降圧チョッパー回路の例を示す。具体的には、電源回路３１は、レギュレータ３４、ＨＶＩＣ（High Voltage Integrated Circuit）３５、入力抵抗Ｒ６、Ｒ７、スイッチング素子Ｍ１、Ｍ２およびインダクタＬ１０を備える。
【００６６】
レギュレータ３４は、ＡＣ−ＤＣ電源１０からの直流電力を受け、ＨＶＩＣ３５および制御回路３３に安定化した電源電圧を供給する。
【００６７】
ＨＶＩＣ３５は、制御回路３３の制御に従って、入力抵抗Ｒ６、Ｒ７を介してスイッチング素子Ｍ１、Ｍ２にゲート信号を供給する。スイッチング素子Ｍ１、Ｍ２のゲート信号は、高速、周期的かつ排他的にアクティブになる。
【００６８】
スイッチング素子Ｍ１、Ｍ２は、ＡＣ−ＤＣ電源１０から供給される直流電圧とグラウンドレベルとを交互にインダクタＬ１０に接続するためのハイサイドトランジスタ、ローサイドトランジスタである。
【００６９】
インダクタＬ１０は、スイッチング素子Ｍ１、Ｍ２のスイッチングに応じて電気エネルギーを蓄積および放出する。
【００７０】
セレクタ回路３２は、入力抵抗Ｒ８〜Ｒ１１およびスイッチング素子Ｍ３〜Ｍ６を備える。
【００７１】
スイッチング素子Ｍ３は、ＬＥＤ負荷２１と直列に接続される。スイッチング素子Ｍ３のゲートには、制御回路３３から入力抵抗Ｒ８を介してオンおよびオフを指示するゲート信号が入力される。スイッチング素子Ｍ３はゲート信号に応じてオンおよびオフする。
【００７２】
スイッチング素子Ｍ４〜Ｍ６も、スイッチング素子Ｍ３と同様である。
【００７３】
制御回路３３は、プロセッサ、メモリおよびタイマー３６を内蔵するＭＣＵ（Micro Controller Unit またはMicro Computer Unit）により構成してもよい。タイマー３６は、周期的な各種時間を計測する。例えば複数のＬＥＤ負荷２１〜２４の選択が一巡する周期などを計測するのに用いられる。
【００７４】
［１．２  ＬＥＤ点灯装置および照明器具の動作］
次に、実施の形態１に係るＬＥＤ点灯装置３０を備える照明器具１００の動作例について説明する。
【００７５】
まず、４色中４色発光時、つまり全色発光時の動作例について説明する。
【００７６】
図６は、実施の形態１に係る照明器具１００に全色発光させる順送り制御による各部の電流波形および電圧波形を示す図である。同図の横軸は時間軸である。縦軸は各部の電流または電圧を示す。インダクタ電流ＩＬは、インダクタＬ１０を流れる電流、つまり、電源回路３１からいずれかのＬＥＤ負荷に供給される電流を示す。このインダクタ電流ＩＬは、図２に対応する。
【００７７】
ゲート電圧Ｖ０は、制御回路３３からＨＶＩＣ３５を介してスイッチング素子Ｍ１のゲートに入力される電圧を示す。ゲート電圧Ｖ０がハイレベルのときスイッチング素子Ｍ１はオン状態になる。ゲート電圧Ｖ０がハイレベルの区間はインダクタ電流ＩＬの三角波における斜め立ち上がりの区間と等しい。ゲート電圧Ｖ０がハイレベルの区間ではインダクタ電流ＩＬは増加していく。このとき、インダクタＬ１０は電気エネルギーを磁気エネルギーとして蓄積する。ゲート電圧Ｖ０がローレベルのときスイッチング素子Ｍ１はオフ状態になる。スイッチング素子Ｍ１がオン状態からオフ状態に切り替わった直後は、インダクタＬ１０は蓄積したエネルギーを放出する、つまり、インダクタＬ１０の逆起電力によりインダクタ電流ＩＬが０まで減少しながらＬＥＤ負荷２１に供給される。その結果、インダクタ電流ＩＬは同図では三角波となる。三角波の底辺の長さは、電源回路３１からＬＥＤ負荷に電力が供給される給電区間である。給電区間は、ゲート電圧Ｖ０のハイレベル区間よりも長くなる。電源回路３１からＬＥＤ負荷に給電される給電区間は、１つの三角波の区間と等しい。
【００７８】
ゲート電圧Ｖｒは、制御回路３３からスイッチング素子Ｍ３のゲートに入力される電圧を示す。ゲート電圧Ｖｒがハイレベルのときスイッチング素子Ｍ３はオン状態になり、つまり、対応するＬＥＤ負荷２１が選択された状態となる。また、ゲート電圧Ｖｒのハイレベル区間は、ゲート電圧Ｖ０のハイレベル区間を含み、かつ対応するインダクタ電流ＩＬの三角波を含む期間になるように制御される。ゲート電圧Ｖｇ、Ｖｂ、Ｖｗも、ゲート電圧Ｖｒと同様である。なお、ゲート電圧Ｖｒ、Ｖｇ、Ｖｂ、Ｖｗそれぞれのパルス幅は、インダクタ電流ＩＬの三角波の底辺の幅以上で、かつ、タイムスロットの幅未満になるように設定される。また、ゲート電圧Ｖｒ、Ｖｇ、Ｖｂ、Ｖｗのハイレベル区間同士の間には、４つともローレベルになるデッドタイムが設けられる。
【００７９】
ＬＥＤ電流Ｉｒは、ＬＥＤ負荷２１内のＬＥＤｄ１〜ｄ3を流れる電流を示す。給電区間の後、つまり、電源回路３１からＬＥＤ負荷２１への給電が終わった後もＬＥＤ電流Ｉｒは０にならずに電流が減少しながら流れ続けている。これは、平滑コンデンサＣ２および逆流防止用のダイオードＤａによる。
【００８０】
ＬＥＤ電流Ｉｇ、Ｉｂ、Ｉｗについても、ＬＥＤ電流Ｉｒと同様である。
【００８１】
図６に示すように、タイムスロットＴ１〜Ｔ４では、赤、緑、青、白に対応するＬＥＤ負荷２１〜２４がそれぞれ選択される。言い換えれば、制御回路３３は、周期的なＮ個のタイムスロットを設定し、Ｎ個のタイムスロットでＮ個のＬＥＤ負荷を巡回的にセレクタ回路３２に選択させる順送り制御を行っている。ここで、Ｎ＝４である。
【００８２】
なお、照明器具１００において照明光の色を調整する調色は、複数の発光色の明るさの割合を変更することにより実現される。具体的には、図６では、制御回路３３がタイムスロットＴ１〜Ｔ４のゲート電圧Ｖ０の４つのパルス幅の割合を変更することによって調色することができる。また、照明器具１００において照明光の明るさを調整する調光は、複数の発光色の明るさの割合を一定に保ったまま、明るさを変更することにより実現される。具体的には、図６では、制御回路３３がタイムスロットＴ１〜Ｔ４のゲート電圧Ｖ０の４つのパルス幅の割合を一定に保ったまま、ゲート電圧Ｖ０の４つのパルス幅を増減することにより調光することができる。
【００８３】
図６に示す例では、セレクタ回路３２によっていずれかのＬＥＤ負荷が選択された期間内に、電源回路３１のスイッチング素子Ｍ１がオンになるように制御される。すなわち、スイッチング電源である電源回路３１におけるスイッチング動作と、セレクタ回路３２における選択動作とが同期している。
【００８４】
次に、第１の制御による２色発光時の動作例について説明する。
【００８５】
図７Ａは、実施の形態１に係る照明器具１００に２色発光させる第１の制御による各部の電流波形および電圧波形を示す図である。図７Ａのインダクタ電流ＩＬは、図３Ａに対応する。図７Ａは、図６と比べて、ゲート電圧Ｖｒ〜Ｖｗ、ＬＥＤ電流Ｉｒ〜Ｉｗが異なっている。以下、異なる点を中心に説明する。
【００８６】
ゲート電圧Ｖｒは、タイムスロットＴ１だけでなくタイムスロットＴ３でもアクティブになっている。これにより、赤に対応するＬＥＤ負荷２１は、周期Ｔｃ内で２回選択される。
【００８７】
ゲート電圧Ｖｇは、タイムスロットＴ２だけでなくタイムスロットＴ４でもアクティブになっている。これにより、緑に対応するＬＥＤ負荷２２は、周期Ｔｃ内で２回選択される。
【００８８】
ゲート電圧ＶｂおよびＶｗは、いずれのタイムスロットでもアクティブにならない。これにより、青および白に対応するＬＥＤ負荷２３は、周期Ｔｃ内で一度も選択されない。
【００８９】
ＬＥＤ電流Ｉｒは、タイムスロットＴ１、Ｔ３の２つのタイムスロットにおいて、インダクタ電流ＩＬに基づいてピークとなる。
【００９０】
ＬＥＤ電流Ｉｇは、タイムスロットＴ２、Ｔ４の２つのタイムスロットにおいて、インダクタ電流ＩＬに基づいてピークとなる。
【００９１】
ＬＥＤ電流ＩｂおよびＩｗは、いずれのタイムスロットでも流れない。
【００９２】
このように、図７Ａでは、Ｍ個（ここでは赤、緑の２個）のＬＥＤ負荷を点灯させ、かつ、（Ｎ−Ｍ）個（ここでは、青、白の２個）のＬＥＤ負荷を点灯させないことを指示する調色指示を受けたとき、制御回路３３は、４個のタイムスロットにおいてＭ個（ここでは赤、緑の２個）のＬＥＤ負荷のうちの少なくとも１つのＬＥＤ負荷を複数のタイムスロットでセレクタ回路３２に選択させる第１の制御を行う。
【００９３】
次に、第２の制御による２色発光時の動作例について説明する。
【００９４】
図７Ｂは、実施の形態１に係る照明器具１００に２色発光させる第２の制御による各部の電流波形および電圧波形を示す図である。図７Ｂのインダクタ電流ＩＬは、図３Ｂに対応する。図７Ｂは、図７Ａと比べて、各波形が図７Ａとほぼ同じであり、タイムスロットの構成が異なっている。以下、異なる点を中心に説明する。
【００９５】
周期Ｔｃ１は、例えば、図７Ａの周期Ｔｃの１／２に相当する。周期Ｔｃ１は、２つのタイムスロットにＴ１、Ｔ２に分割される。
【００９６】
このように、図７Ｂでは、Ｍ個（ここでは赤、緑の２個）のＬＥＤ負荷を点灯させ、かつ、（Ｎ−Ｍ）個（ここでは、青、白の２個）のＬＥＤ負荷を点灯させないことを指示する調色指示を受けたとき、制御回路３３は、周期的なＭ個のタイムスロットを設定し、Ｍ個のタイムスロットでＭ個のＬＥＤ負荷を巡回的にセレクタ回路３２に選択させる第２の制御を行う。
【００９７】
以上説明してきたように実施の形態１に係るＬＥＤ点灯装置３０は、Ｎ（Ｎは２以上の整数）色の発光色を有するＮ個のＬＥＤ負荷２１〜２４を点灯させるＬＥＤ点灯装置３０であって、Ｎ個のＬＥＤ負荷２１〜２４に給電する電源回路３１と、Ｎ個のＬＥＤ負荷２１〜２４から１つのＬＥＤ負荷を選択することによって、選択したＬＥＤ負荷に対して電源回路３１から給電させるセレクタ回路３２と、周期的なＮ個のタイムスロットを設定し、Ｎ個のタイムスロットでＮ個のＬＥＤ負荷を巡回的にセレクタ回路３２に選択させる順送り制御を行う制御回路３３とを備える。制御回路３３は、Ｍ（ＭはＮより小さい整数）個のＬＥＤ負荷を点灯させ、かつ、（Ｎ−Ｍ）個のＬＥＤ負荷を点灯させないことを指示する調色指示を受けたとき、（ｉ）Ｎ個のタイムスロットにおいてＭ個のＬＥＤ負荷を巡回的にセレクタ回路３２に選択させ、かつ、Ｍ個のＬＥＤ負荷のうちの少なくとも１つのＬＥＤ負荷を複数のタイムスロットでセレクタ回路３２に選択させる第１の制御、および、（ｉｉ）周期的なＭ個のタイムスロットを設定し、Ｍ個のタイムスロットでＭ個のＬＥＤ負荷を巡回的にセレクタ回路３２に選択させる第２の制御、のいずれか一方を行う。
【００９８】
これによれば、順送り点灯において非点灯の色がある場合に色ちらつきを生じさせにくくすることができる。
【００９９】
ここで、電源回路３１は、インダクタＬ１０を含むスイッチング電源であり、インダクタＬ１０を介して複数のＬＥＤ負荷２１〜２４に給電してもよい。
【０１００】
これによれば、電源回路３１の小型化、高効率化および低コスト化を図ることができる。
【０１０１】
ここで、制御回路３３は、電源回路３１のスイッチング動作と、セレクタ回路３２における選択動作とを同期させてもよい。
【０１０２】
これによれば、さらに、電源回路３１の小型化、高効率化および低コスト化を図ることができる。
【０１０３】
ここで、制御回路３３は、上記の調色指示を受けたとき、第１の制御を行ってもよい。
【０１０４】
これによれば、周期およびタイムスロットの分割数を保ったまま、非点灯の色の存在を許容することができる。
【０１０５】
ここで、制御回路３３は、上記の調色指示を受けたとき、第２の制御を行ってもよい。
【０１０６】
これによれば、タイムスロットの分割数をＭ個に変更することにより、非点灯の色の存在を容易に許容することができる。
【０１０７】
また、実施の形態１に係る照明器具１００は、ＬＥＤ点灯装置３０と、複数のＬＥＤ負荷２１〜２４とを備える。
【０１０８】
ここで、複数のＬＥＤ負荷のそれぞれは、1つ以上のＬＥＤと、１つ以上のＬＥＤと並列に接続された平滑コンデンサと、１つ以上のＬＥＤおよび平滑コンデンサを含む並列回路と直列に接続された逆流防止用のダイオードとを有していてもよい。
【０１０９】
なお、制御回路３３は、（ｉ）第1の制御および（ｉｉ）第２の制御のうち、いずれか一方のみを実行するように構成されていてもよいし、両者を実行可能な構成で一方を択一的に実行するように構成されていてもよい。
【０１１０】
（実施の形態２）
続いて、実施の形態２に係るＬＥＤ点灯装置３０および照明器具１００について説明する。
【０１１１】
本実施の形態では、実施の形態１の照明器具１００において、Ｍ（ＭはＮより小さい整数）個のＬＥＤ負荷を点灯させ、かつ、（Ｎ−Ｍ）個のＬＥＤ負荷を点灯させないことを指示する調色指示を受けたとき、（ｉ）第１の制御および（ｉｉ）第２の制御の一方と、（ｉｉｉ）点灯させない色を許容する順送り制御とで明るさ（光束量）を同じする例について説明する。
【０１１２】
［２．１  ＬＥＤ点灯装置および照明器具の構成］
実施の形態２に係る照明器具１００の構成は、図１および図５と同じでよい。ただし、制御回路３３によるセレクタ回路３２が行う制御が異なっている。以下異なる点を中心に説明する。
【０１１３】
制御回路３３は、（ｉｉｉ）Ｎ個のタイムスロット中のＭ個のタイムスロットにおいてＭ個のＬＥＤ負荷を巡回的に選択し、かつ、Ｎ−Ｍ個のタイムスロットにおいて何れのＬＥＤ負荷も選択しないようにセレクタ回路３２を制御する場合に想定されるＭ個のＬＥＤ負荷それぞれの電流の実効値と、（ｉ）第１の制御および（ｉｉ）第２の制御のいずれか一方の制御におけるＭ個のＬＥＤ負荷それぞれの電流の実効値とを同じにする。例えば、制御回路３３は、Ｍ（ＭはＮより小さい整数）個のＬＥＤ負荷を点灯させ、かつ、（Ｎ−Ｍ）個のＬＥＤ負荷を点灯させないことを指示する調色指示を受けたとき、（ｉｉｉ）の制御を行ってから、（ｉ）または（ｉｉ）の制御に移行する。この場合、（ｉｉｉ）の制御による明るさと、（ｉ）または（ｉｉ）の制御による明るさとを同じにすることができる。
【０１１４】
［２．２  ＬＥＤ点灯装置および照明器具の動作］
次に、実施の形態２に係るＬＥＤ点灯装置３０を備える照明器具１００の動作例について説明する。
【０１１５】
図８Ａは、実施の形態２に係る、非点灯色を含む順送り制御による電流の波形例を示す図である。すなわち、図８Ａは、上記の（ｉｉｉ）の波形例を示し、Ｍ個（ここでは赤、緑の２個）のＬＥＤ負荷を点灯させ、かつ、（Ｎ−Ｍ）個（ここでは青、白の２個）のＬＥＤ負荷を点灯させないことを指示する調色指示に対応する。
【０１１６】
制御回路３３は、上記調光指示を受けたとき、一時的に（ｉｉｉ）の制御を行ってから、または、（ｉｉｉ）の制御をしたと仮定した場合の電流値Ｌ１およびＬａｖを算出してから、（ｉ）第１の制御または（ｉｉ）第２の制御を行う。図８Ａの電流値Ｌ１は、インダクタ電流ＩＬのピーク値である。電流値Ｌａｖはインダクタ電流ＩＬの実効値（ここでは平均値でもよい）である。制御回路３３は、（ｉｉｉ）における実効値と、（ｉ）第１の制御または（ｉｉ）第２の制御における実効値とを同じにするように制御する。
【０１１７】
図８Ｂは、図８Ａに対応する（ｉ）第１の制御による電流の波形例を示す図である。図８Ｂの電流値Ｌ２は、インダクタ電流ＩＬのピーク値である。電流値Ｌａｖはインダクタ電流ＩＬの実効値（平均値）である。制御回路３３は、（ｉ）第１の制御におけるピーク値Ｌ２を、図８Ｂにおける実効値Ｌａｖが図８Ａにおける実効値Ｌａｖと同じ値にするように設定する。ピーク値Ｌ２は、図７Ａに示したゲート電圧Ｖ０のパルス幅に比例する。制御回路３３は、実効値Ｌａｖおよびピーク値Ｌ２に対応するゲート電圧Ｖ０のパルス幅を決定する。
【０１１８】
なお、図８Ａ、図８Ｂでは、実効値Ｌａｖ、ピーク値Ｌ１およびピーク値Ｌ２は１種類だけでなく、実際には、赤に対応する電流値Ｌａｖ、Ｌ１、Ｌ２と、緑に対応する電流値Ｌａｖ、Ｌ１、Ｌ２とを個別に取り扱う。
【０１１９】
図８Ｃは、図８Ａに対応する（ｉｉ）第２の制御による電流の波形例を示す図である。図８Ｃは、図８Ｂと比べてタイムスロットの構成が異なる点以外は、図８Ａと同じことが該当する。
【０１２０】
以上のように実施の形態２に係るＬＥＤ点灯装置３０において、制御回路３３は、（ｉｉｉ）Ｎ個のタイムスロット中のＭ個のタイムスロットにおいてＭ個のＬＥＤ負荷を巡回的に選択し、かつ、Ｎ−Ｍ個のタイムスロットにおいて何れのＬＥＤ負荷も選択しないようにセレクタ回路３２を制御する場合に想定されるＭ個のＬＥＤ負荷それぞれの実効値と、（ｉ）第１の制御および（ｉｉ）第２の制御のいずれか一方の制御におけるＭ個のＬＥＤ負荷それぞれの実効値とを同じにする。
【０１２１】
これによれば、（ｉｉｉ）の順送り制御と、（ｉ）第１の制御または（ｉｉ）第２の制御とで明るさ（光束量）を同じにすることができる。
【０１２２】
（実施の形態３）
続いて、実施の形態３に係るＬＥＤ点灯装置３０および照明器具１００について説明する。実施の形態３では、実施の形態２の照明器具１００において、さらに、（ｉｉｉ）の順送り制御と（ｉ）第１の制御との間に移行期間を設ける例について説明する。
【０１２３】
［３．１  ＬＥＤ点灯装置および照明器具の構成］
実施の形態３に係る照明器具１００の構成は、図１および図５と同じでよい。ただし、制御回路３３によるセレクタ回路３２が行う制御が異なっている。以下異なる点を中心に説明する。
【０１２４】
制御回路３３は、Ｍ（ＭはＮより小さい整数）個のＬＥＤ負荷を点灯させ、かつ、（Ｎ−Ｍ）個のＬＥＤ負荷を点灯させないことを指示する調色指示を受けたとき、（ｉ）第１の制御の前に（ｉｉｉ）の順送り制御を一時的に行う。さらに、制御回路３３は、（ｉｉｉ）の制御の終了から（ｉ）第１の制御の開始までに移行期間を設ける。移行期間において、制御回路３３は、Ｍ個のＬＥＤ負荷のそれぞれの実効値を同じにしながら、（ｉｉｉ）の順送り制御による照明状態と（ｉ）第１の制御による照明状態との間の中間状態を少なくとも１つ生成する制御を行う。これにより、（ｉｉｉ）の順送り制御による照明状態から（ｉ）第１の制御による照明状態への移行を滑らかにすることができる。
【０１２５】
［３．２  ＬＥＤ点灯装置および照明器具の動作］
次に、実施の形態３に係るＬＥＤ点灯装置３０を備える照明器具１００の動作例について説明する。
【０１２６】
図９は、実施の形態３に係る、順送り制御、移行期間、および、第１の制御における電流の波形例を示す図である。図９の（ａ）は順送り制御による波形を示す図８Ａと同じである。図９の（ｃ）は第１の制御による波形を示す図８Ｂと同じである。図９の（ｂ）は、移行期間の中間状態における波形例を示し、段階的に変化する中間状態を表わしている。中間状態は、少なくとも１つあればよく、例えば、３つ、４つ程度であってもよい。
【０１２７】
図９の（ｂ）において、制御回路３３は、点灯中のタイムスロットＴ１およびＴ２では、インダクタ電流ＩＬのピーク値をＬ１からＬ２まで段階的に減少させる。制御回路３３は、非点灯のタイムスロットＴ３およびＴ４では、インダクタ電流ＩＬのピーク値を０からＬ２まで段階的に増加させる。また、制御回路３３は、（ｂ）および（ｃ）においてインダクタ電流ＩＬの実効値（平均値）Ｌａｖを一定に保つように制御する。
【０１２８】
なお、実効値Ｌａｖ、ピーク値Ｌ１およびピーク値Ｌ２は、１種類だけでなく、赤に対応する電流値Ｌａｖ、Ｌ１、Ｌ２と、緑に対応する電流値Ｌａｖ、Ｌ１、Ｌ２とを個別に取り扱う。
【０１２９】
以上のように実施の形態３に係るＬＥＤ点灯装置３０において、制御回路３３は、（ｉ）第１の制御の前に（ｉｉｉ）の制御を一時的に行い、（ｉｉｉ）の制御の終了から（ｉ）第１の制御の開始までの移行期間を設け、移行期間においてＭ個のＬＥＤ負荷のそれぞれの実効値を同じにしながら、（ｉｉｉ）の制御による照明状態と第１の制御による照明状態との間の中間状態を少なくとも１つ生成する制御を行う。
【０１３０】
これによれば、（ｉｉｉ）の順送り制御と、（ｉ）第１の制御とで明るさ（光束量）を同じにし、かつ、（ｉｉｉ）から（ｉ）に滑らかに移行することができる。
【０１３１】
（実施の形態４）
続いて、実施の形態４に係るＬＥＤ点灯装置３０および照明器具１００について説明する。実施の形態４では、実施の形態２の照明器具１００において、さらに、（ｉｉｉ）の順送り制御と（ｉｉ）第２の制御との間に移行期間を設ける例について説明する。
【０１３２】
［４．１  ＬＥＤ点灯装置および照明器具の構成］
実施の形態４に係る照明器具１００の構成は、図１および図５と同じでよい。ただし、制御回路３３によるセレクタ回路３２が行う制御が異なっている。以下異なる点を中心に説明する。
【０１３３】
制御回路３３は、Ｍ（ＭはＮより小さい整数）個のＬＥＤ負荷を点灯させ、かつ、（Ｎ−Ｍ）個のＬＥＤ負荷を点灯させないことを指示する調色指示を受けたとき、（ｉｉ）第２の制御の前に（ｉｉｉ）の順送り制御を一時的に行う。さらに、制御回路３３は、（ｉｉｉ）の制御の終了から（ｉｉ）第２の制御の開始までに移行期間を設ける。移行期間において、制御回路３３は、Ｍ個のＬＥＤ負荷のそれぞれの電流の実効値を同じにしながら、（ｉｉｉ）の順送り制御による照明状態と第２の制御による照明状態との間の中間状態を少なくとも１つ生成する制御を行う。これにより、（ｉｉｉ）の順送り制御による照明状態から（ｉｉ）第２の制御による照明状態への移行を滑らかにすることができる。
【０１３４】
［４．２  ＬＥＤ点灯装置および照明器具の動作］
次に、実施の形態４に係るＬＥＤ点灯装置３０を備える照明器具１００の動作例について説明する。
【０１３５】
図１０は、実施の形態４に係る、順送り制御、移行期間、および、第２の制御における電流の波形例を示す図である。図１０の（ａ）は順送り制御による波形を示す図８Ａと同じである。図１０の（ｃ）は第２の制御による波形を示す図３Ｃとほぼ同じである。図１０の（ｂ）は、移行期間の中間状態における波形例を示し、段階的に変化する中間状態を表わしている。中間状態は、少なくとも１つあればよく、例えば、３つ、４つ程度であってもよい。
【０１３６】
図１０の（ｂ）において、制御回路３３は、点灯中のタイムスロットＴ１およびＴ２では、インダクタ電流ＩＬのピーク値をＬ１からＬ２まで段階的に減少させる。同時に、制御回路３３は、非点灯のタイムスロットＴ３およびＴ４では、それぞれのタイムスロットの時間幅を段階的に０に減少させる。制御回路３３は、（ｂ）および（ｃ）においてインダクタ電流ＩＬの実効値（平均値）Ｌａｖを一定に保つように制御する。
【０１３７】
なお、実効値Ｌａｖ、ピーク値Ｌ１およびピーク値Ｌ２は、１種類だけでなく、赤に対応する電流値Ｌａｖ、Ｌ１、Ｌ２と、緑に対応する電流値Ｌａｖ、Ｌ１、Ｌ２とを個別に取り扱う。
【０１３８】
以上のように実施の形態４に係るＬＥＤ点灯装置３０において、制御回路３３は、（ｉｉ）第２の制御の前に（ｉｉｉ）の制御を一時的に行い、（ｉｉｉ）の制御の終了から（ｉｉ）第２の制御の開始までの移行期間を設け、移行期間において、Ｎ個のタイムスロット中の（Ｎ−Ｍ）個のタイムスロットの時間が、（ｉｉｉ）の制御におけるＮ個のタイムスロットの時間よりも徐々に短くなる中間状態を少なくとも１つ生成する制御を行う。
【０１３９】
これによれば、（ｉｉｉ）の順送り制御と、（ｉｉ）第２の制御とで明るさ（光束量）を同じにし、かつ、（ｉｉｉ）から（ｉｉ）への移行において人の目に違和感を与えることなく、滑らかにすることができる。
【０１４０】
（実施の形態５）
続いて、実施の形態５に係るＬＥＤ点灯装置３０および照明器具１００について説明する。実施の形態５では、実施の形態４と比べて、（ｉｉ）第２の制御における周期Ｔｃを（ｉｉｉ）の順送り制御における周期Ｔｃと同じにし、タイムスロットの時間幅を長くし、かつ、電源回路３１からＬＥＤ負荷への給電区間を長くする例について説明する。ここで、電源回路３１からＬＥＤ負荷への給電区間というのは、図３Ａ〜図３Ｃ等のインダクタ電流ＩＬにおける三角波の底辺の長さに相当する。
【０１４１】
［５．１  ＬＥＤ点灯装置および照明器具の構成］
実施の形態５に係る照明器具１００の構成は、図１および図５と同じでよい。ただし、制御回路３３によるセレクタ回路３２が行う制御が異なっている。以下異なる点を中心に説明する。
【０１４２】
制御回路３３は、Ｍ（ＭはＮより小さい整数）個のＬＥＤ負荷を点灯させ、かつ、（Ｎ−Ｍ）個のＬＥＤ負荷を点灯させないことを指示する調色指示を受けたとき、（ｉｉ）第２の制御の前に（ｉｉｉ）の順送り制御を一時的に行う。さらに、制御回路３３は、（ｉｉｉ）の制御の終了から（ｉｉ）第２の制御の開始までに移行期間を設ける。移行期間において、制御回路３３は、Ｍ個のＬＥＤ負荷のそれぞれの実効値を同じにしながら、（ｉｉｉ）の順送り制御による照明状態と第２の制御による照明状態との間の中間状態を少なくとも１つ生成する制御を行う。
【０１４３】
制御回路３３は、（ｉｉ）第２の制御において、Ｍ個のタイムスロットからなる周期Ｔｃを、（ｉｉｉ）の順送り制御におけるＮ個のタイムスロットからなる周期Ｔｃと同じにする。これにより、Ｍ個のタイムスロットそれぞれの時間は、上記Ｎ個のタイムスロットそれぞれの時間よりも長くなる。これとともに、制御回路３３は、（ｉｉ）第２の制御において、Ｍ個のタイムスロットそれぞれの給電時間を、（ｉｉｉ）の順送り制御におけるＮ個のタイムスロットの対応する給電時間よりも長くする。
【０１４４】
［５．２  ＬＥＤ点灯装置および照明器具の動作］
次に、実施の形態５に係るＬＥＤ点灯装置３０を備える照明器具１００の動作例について説明する。
【０１４５】
図１１は、実施の形態５に係る、順送り制御、移行期間、および、第２の制御における電流の波形例を示す図である。図１１の（ａ）は順送り制御による波形を示す図８Ａと同じである。図１１の（ｃ）は第２の制御による波形を示す図８Ｃと同じである。図１１の（ｂ）は、移行期間の中間状態における波形例を示し、段階的に変化する中間状態を表わしている。中間状態は、少なくとも１つあればよく、例えば、３つ、４つ程度であってもよい。
【０１４６】
図１１の（ｂ）において、制御回路３３は、点灯中のタイムスロットＴ１およびＴ２では、インダクタ電流ＩＬのピーク値をＬ１からＬ２まで段階的に減少させ、かつ、給電時間を段階的に長くする。同時に、制御回路３３は、点灯中のタイムスロットＴ１およびＴ２それぞれの時間幅をＴｃ／２まで段階的に増加させる。また、制御回路３３は、非点灯のタイムスロットＴ３およびＴ４では、それぞれのタイムスロットの時間幅を段階的に０に減少させる。このとき、制御回路３３は、図１１の（ｂ）および（ｃ）においてインダクタ電流ＩＬの実効値（平均値）Ｌａｖを一定に保つように制御する。
【０１４７】
図１１の（ｂ）および（ｃ）において、インダクタ電流ＩＬのピーク値を減少させ、給電時間を長くし、かつ、実効値（平均値）Ｌａｖを一定に保つために、制御回路３３は、インダクタ電流ＩＬの三角波における斜め立ち上がりの傾きを小さくする必要がある。傾きを小さくするために、制御回路３３は、電源回路３１の電源電圧を下げればよい、または、インダクタＬ１０を可変インダクタにより構成しインダクタンス値を大きくすればよい。
【０１４８】
また、実効値Ｌａｖ、ピーク値Ｌ１およびピーク値Ｌ２は、１種類だけでなく、赤に対応する電流値Ｌａｖ、Ｌ１、Ｌ２と、緑に対応する電流値Ｌａｖ、Ｌ１、Ｌ２とを個別に取り扱う。
【０１４９】
これによれば、（ｉｉｉ）の順送り制御と、（ｉｉ）第２の制御とで明るさ（光束量）を同じにし、かつ、（ｉｉｉ）から（ｉｉ）への移行において人の目に違和感を与えることなく、滑らかにすることができる。
【０１５０】
以上のように実施の形態５に係るＬＥＤ点灯装置３０において、制御回路３３は、（ｉｉ）第２の制御におけるＭ個のタイムスロットからなる周期を、（ｉｉｉ）の制御におけるＮ個のタイムスロットからなる周期Ｔｃと同じにし、（ｉｉ）第２の制御におけるＭ個のタイムスロットそれぞれの給電時間を、（ｉｉｉ）の制御におけるＮ個のタイムスロットの対応する給電時間よりも長くする。
【０１５１】
ここで、制御回路３３は、（ｉｉ）第２の制御におけるＭ個のタイムスロットにおける電源回路からの給電電圧を、（ｉｉｉ）の制御におけるＮ個のタイムスロットにおける給電電圧よりも小さくしてもよい。
【０１５２】
これによれば、制御回路３３は、（ｉｉｉ）の制御および（ｉｉ）第２の制御において給電電流の実効値（平均値）を容易に一定に保つことができる。
【０１５３】
ここで、制御回路３３は、（ｉｉ）第２の制御の前に（ｉｉｉ）の制御を一時的に行い、（ｉｉｉ）の制御の終了から（ｉｉ）第２の制御の開始までに移行期間を設け、移行期間において、（ｉｉ）第２の制御におけるＭ個のタイムスロットにおける電源回路からの給電時電圧を、（ｉｉｉ）の制御におけるＮ個のタイムスロットにおける給電電圧よりも徐々に小さくなる少なくとも１つの中間状態を経て移行させてもよい。
【０１５４】
ここで、制御回路３３は、少なくとも１つの中間状態において、Ｍ個のタイムスロットそれぞれの時間を、前記Ｎ個のタイムスロットそれぞれの時間よりも徐々に長くし、同時に、前記Ｍ個のタイムスロットにおける電源回路からの給電時間を、（ｉｉｉ）の制御におけるＮ個のタイムスロットにおける給電時間よりも徐々に長くし、少なくとも１つの中間状態において、Ｎ個のタイムスロット中のＮ−Ｍ個のタイムスロットの時間を、ｉｉｉの制御におけるＮ個のタイムスロットの時間よりも徐々に短くしてもよい。
【０１５５】
これによれば、（ｉｉｉ）の順送り制御と、（ｉｉ）第２の制御とで明るさ（光束量）を同じにし、かつ、（ｉｉｉ）から（ｉｉ）への移行において人の目に違和感を与えることなく、滑らかにすることができる。
【０１５６】
なお、周期Ｔｃ、周期Ｔｃ１は、人に知覚できない速度で周期的であればよい。例えば、一巡点灯する周期Ｔｃの逆数である周波数は、１００Ｈｚ以上としてもよい。
【０１５７】
ここで、「人が知覚できない速度で周期的な」は「人にちらつきを知覚させない」ことを意味している。ＬＥＤ照明のちらつき対策については、例えば、電気用品安全法(ＰＳＥ)の解説書類である、「電気用品安全法の改正政省令施行について（平成２４年７月１日から施行）」（経済産業省商務流通グループ製品安全課による）に基準が示されている。同解説書類２８頁の「光出力のちらつき（フリッカー）対策」では、「光出力はちらつきを感じないものであること」に相当する効果をもたらす周波数を次のように解釈している。すなわち、同解説書類においては、「光出力はちらつきを感じないものであること」を満たすのは、（１）繰り返し周波数が１００Ｈｚ以上で光出力に欠落部がない、（２）繰り返し周波数が５００Ｈｚ以上、のいずれかと解釈されている。
【０１５８】
本実施の形態の照明器具１００において、図６、図７Ａおよび図７Ｂの例では光出力に欠落がないと考えられるので上記（１）を満たせばよいと考えられる。この場合、一巡点灯周期の逆数である周波数は、１００Ｈｚ以上としてもよい。
【０１５９】
また、各実施形態においてＮ＝４、Ｍ＝２の例を説明したが、Ｎは４以外でもよいし、Ｍは２以外でもよい。Ｍ＝２の例として赤、緑の２色発光の例を説明したが、他の色の組み合わせでもよい。
【０１６０】
（実施の形態６）
実施の形態６では、上記各実施の形態に係るＬＥＤ点灯装置３０を備える照明器具１００の例について、図１２Ａ〜図１２Ｃを用いて説明する。
【０１６１】
図１２Ａは、各実施の形態に係るＬＥＤ点灯装置３０を有する照明器具１００の外観例を示す図である。図１２Ａでは、照明器具１００の例として、ダウンライト１００ａの外観を示す。
【０１６２】
ダウンライト１００ａは、回路ボックス１０１ａ、灯体１０２ａおよび配線１０３ａを備える。回路ボックス１０１ａは、上記各実施の形態に係るＬＥＤ点灯装置３０の全部または一部を収納する筐体である。灯体１０２ａは、光源２０を装着した灯体である。配線１０３ａは、回路ボックス１０１ａと灯体１０２ａ内の光源２０とを電気的に接続する。
【０１６３】
図１２Ｂは、各実施の形態に係るＬＥＤ点灯装置３０を有する照明器具１００の他の外観例を示す図である。図１２Ｂでは、照明器具１００の例として、スポットライト１００ｂの外観を示す。
【０１６４】
スポットライト１００ｂは、回路ボックス１０１ｂ、灯体１０２ｂおよび配線１０３ｂを備える。これらの回路ボックス１０１ｂ、灯体１０２ｂおよび配線１０３ｂは、図１２Ａの回路ボックス１０１ａ、灯体１０２ａおよび配線１０３ａと同様である。
【０１６５】
図１２Ｃは、各実施の形態に係るＬＥＤ点灯装置３０を有する照明器具１００のさらに他の外観例を示す図である。図１２Ｃでは、照明器具１００の例として、スポットライト１００ｃの外観を示す。
【０１６６】
スポットライト１００ｃは、回路ボックス１０１ｃおよび灯体１０２ｃを備える。これらも図１２Ａの回路ボックス１０１ａおよび灯体１０２ｂと同様である。
【０１６７】
実施の形態６においても、上記各実施の形態と同様の効果が得られる。
【０１６８】
なお、光源２０内のＬＥＤｄ１〜ｄ１２は、いわゆる発光ダイオードだけでなく、有機ＥＬ発光素子（ＯＬＥＤ：Organic Light Emitting Diode）、レーザー発光素子などの固体発光素子でもよい。
【０１６９】
以上、本発明に係るＬＥＤ点灯装置３０および照明器具１００について、実施の形態に基づいて説明したが、本発明は、実施の形態に限定されるものではない。本発明の主旨を逸脱しない限り、当業者が思いつく各種変形を本実施の形態に施したものや、実施の形態及び変形例における一部の構成要素を任意に組み合わせて構築される別の形態も、本発明の範囲内に含まれる。
【符号の説明】
【０１７０】
２１、２２、２３、２４  ＬＥＤ負荷
３０  ＬＥＤ点灯装置
３１  電源回路
３２  セレクタ回路
３３  制御回路
３６  タイマー
１００  照明器具
Ｃ２、Ｃ３、Ｃ４、Ｃ５  平滑コンデンサ
ｄ１〜ｄ１２  ＬＥＤ
Ｄａ、Ｄｂ、Ｄｃ、Ｄｄ    ダイオード
Ｌ１０  インダクタ
Ｍ３、Ｍ４、Ｍ５、Ｍ６  スイッチング素子
【図１】
2020004553.tif 000003
【図２】
2020004553.tif 000004
【図３Ａ】
2020004553.tif 000005
【図３Ｂ】
2020004553.tif 000006
【図３Ｃ】
2020004553.tif 000007
【図４Ａ】
2020004553.tif 000008
【図４Ｂ】
2020004553.tif 000009
【図５】
2020004553.tif 000010
【図６】
2020004553.tif 000011
【図７Ａ】
2020004553.tif 000012
【図７Ｂ】
2020004553.tif 000013
【図８Ａ】
2020004553.tif 000014
【図８Ｂ】
2020004553.tif 000015
【図８Ｃ】
2020004553.tif 000016
【図９】
2020004553.tif 000017
【図１０】
2020004553.tif 000018
【図１１】
2020004553.tif 000019
【図１２Ａ】
2020004553.tif 000020
【図１２Ｂ】
2020004553.tif 000021
【図１２Ｃ】
2020004553.tif 000022
【図１３】
2020004553.tif 000023
【図１４Ａ】
2020004553.tif 000024
【図１４Ｂ】
2020004553.tif 000025